(57)【要約】【課題】パチンコ遊技機の前面に余剰球を受けるために設けられた球受皿の球抜き装置であって、非操作時に球抜口が常に閉じるようにシャッター板を付勢した仕様と、球抜口を開いたままにできる仕様とが客先の要望に応じて簡単に変更できるようにする。【解決手段】パチンコ遊技機の前面に設けられた球受皿７の底部に球抜口１１を形成し、該球抜口を開閉するシャッター板３０を該球受皿の下部に設けられた組付板２０上に水平面内で摺動自在なるように設け、球受皿の前面に出没自在に設けた球抜ボタン５５を押圧操作することにより前記シャッター板を球抜口が開く方向に摺動させるとともに、バネ４６により該シャッター板を球抜口を閉じる方向に付勢させてなる球抜き装置であって、球抜ボタンが押圧操作されたとき球抜口が開いた状態となるようにシャッター板を一時係止し、その状態で球抜ボタンを再度押圧操作することによりその一時係止状態を解除させる一時係止機構を小ケース６０内に組み込み、該小ケースを前記組付板上に着脱自在に配置してなる。【選択図】　図３
2004089480.tif 000002
【特許請求の範囲】
【請求項１】
パチンコ遊技機の前面に設けられた球受皿に球抜口を形成し、該球抜口を開閉するシャッター板を設け、球抜ボタンを操作することにより前記シャッター板を球抜口が開く方向に摺動させるとともに、バネにより該シャッター板を球抜口を閉じる方向に付勢させてなる球抜き装置であって、球抜ボタンが操作されたとき球抜口が開いた状態となるようにシャッター板を一時係止し、その状態で球抜ボタンを再度操作することによりその一時係止状態を解除させる一時係止機構を小ケース内に組み込み、該小ケースを着脱自在に配置してなることを特徴としたパチンコ遊技機における球受皿の球抜き装置。
【請求項２】
パチンコ遊技機の前面に設けられた球受皿の底部に球抜口を形成し、該球抜口を開閉するシャッター板を該球受皿の下部に設けられた組付板上に水平面内で摺動自在なるように設け、球受皿の前面に出没自在に設けた球抜ボタンを押圧操作することにより前記シャッター板を球抜口が開く方向に摺動させるとともに、バネにより該シャッター板を球抜口を閉じる方向に付勢させてなる球抜き装置であって、球抜ボタンが押圧操作されたとき球抜口が開いた状態となるようにシャッター板を一時係止し、その状態で球抜ボタンを再度押圧操作することによりその一時係止状態を解除させる一時係止機構を小ケース内に組み込み、該小ケースを前記組付板上に着脱自在に配置してなることを特徴としたパチンコ遊技機における球受皿の球抜き装置。
【請求項３】
パチンコ遊技機の前面に設けられた球受皿の底部に球抜口を形成し、該球抜口を開閉するシャッター板を該球受皿の下部に設けられた組付板上に水平面内で摺動自在なるように設け、該シャッター板の一側縁にラック歯を形成し、該ラック歯に噛合する大径歯車を回転自在に軸支し、該大径歯車に同軸一体的に小径歯車を設け、該小径歯車に噛合する曲率半径の大きい扇形歯車を回転自在に軸支し、球受皿の前面に出没自在に設けた球抜ボタンを押圧操作することにより該扇形歯車，前記小径歯車，大径歯車を回転させ前記シャッター板を球抜口が開く方向に摺動させるとともに、該扇形歯車にバネを係止し該バネにより該シャッター板を球抜口を閉じる方向に付勢させると同時に球抜ボタンを突出方向に付勢してなる球抜き装置であって、球抜ボタンが押圧操作されたとき球抜口が開いた状態となるようにシャッター板を一時係止し、その状態で球抜ボタンを再度押圧操作することによりその一時係止状態を解除させる一時係止機構を小ケース内に組み込み、該小ケースを前記組付板上に着脱自在に配置してなることを特徴としたパチンコ遊技機における球受皿の球抜き装置。
【請求項４】
一時係止機構は、カム板上にトラックを一方に長手の閉環状に形成し、シャッター板を摺動させることにより摺動部材を長手方向に摺動させ、該摺動部材に短手方向にのみ移動自在なるように転子を配置し、該摺動部材が摺動することにより該転子が該トラックを所定方向に周回し、該トラックの一端部に形成された略Ｖ字状の係合所により該転子の転動がされるることでシャッター板を一時係止させるものである請求項１〜３のいずれかに記載のパチンコ遊技機における球受皿の球抜き装置。
【発明の詳細な説明】
【０００１】
【発明の属する技術分野】
本発明はパチンコ遊技機の前面に設けられた球受皿に設けられる球抜き装置に関するものである。
【０００２】
【従来の技術】
周知のように、パチンコ遊技機の前面には打球供給皿（上皿）と余剰球受皿（下皿）とが上下段に設けられ、景品球が該打球供給皿に一定量貯留されると余剰球受皿に流下するよう構成されている。そして余剰球受皿の底面に球抜口が設けられ、遊技客が球抜ボタンを操作しシャッター板を摺動させることによりこの球抜口を開口させ、該球受皿に溜まったパチンコ球を球箱等に移し替えられるようにしている。
【０００３】
例えば、実開平４−９２２８３号公報，特開２００１−１７０３１９号公報等により開示された球抜き装置は、球受皿の一側に出没自在に設けられた球抜ボタンの動きがラック歯と歯車からなる伝動機構を介してシャッター板に伝達され、該シャッター板を摺動させることにより球抜口を開閉させる構造である。
【０００４】
ところで、上記球抜き装置では、球抜ボタンから指を離すとバネに弾性によりシャッター板が元に戻り球抜口が閉じるように構成されていたので、多量のパチンコ球を抜こうとすると球抜ボタンを押し続けなければならず指先に負担が掛かるものであった。そこで、従来から球抜ボタンを一旦押せば球抜口が開いたままとなり、もう一度球抜ボタンを押すことで球抜口が閉じられるように構成したものも知られている。
【０００５】
【発明が解決しようとする課題】
しかしながら、上記のように球抜口を開いたままにできる構成では、ゲームを終えても遊技者が球抜口を開いたままにしておく場合が多いので、次の遊技者がパチンコ球を球抜口から下にこぼしてしまうという問題があり、その点で一長一短があるものであった。
【０００６】
そこで本発明では、上記のように非操作時に球抜口が常に閉じるようにシャッター板を付勢した仕様と、球抜口を開いたままにできる仕様のいずれにも簡単に変更でき要望に応じることのできる球抜き装置を提供しようとするものである。
【０００７】
【課題を解決するための手段】
その課題を達成するために本発明は、パチンコ遊技機の前面に設けられた球受皿に球抜口を形成し、該球抜口を開閉するシャッター板を設け、球抜ボタンを操作することにより前記シャッター板を球抜口が開く方向に摺動させるとともに、バネにより該シャッター板を球抜口を閉じる方向に付勢させてなる球抜き装置であって、球抜ボタンが操作されたとき球抜口が開いた状態となるようにシャッター板を一時係止し、その状態で球抜ボタンを再度操作することによりその一時係止状態を解除させる一時係止機構を小ケース内に組み込み、該小ケースを着脱自在に配置してなることを特徴とする。
また本発明は、パチンコ遊技機の前面に設けられた球受皿の底部に球抜口を形成し、該球抜口を開閉するシャッター板を該球受皿の下部に設けられた組付板上に水平面内で摺動自在なるように設け、球受皿の前面に出没自在に設けた球抜ボタンを押圧操作することにより前記シャッター板を球抜口が開く方向に摺動させるとともに、バネにより該シャッター板を球抜口を閉じる方向に付勢させてなる球抜き装置であって、球抜ボタンが押圧操作されたとき球抜口が開いた状態となるようにシャッター板を一時係止し、その状態で球抜ボタンを再度押圧操作することによりその一時係止状態を解除させる一時係止機構を小ケース内に組み込み、該小ケースを前記組付板上に着脱自在に配置してなることを特徴とする。
また本発明は、パチンコ遊技機の前面に設けられた球受皿の底部に球抜口を形成し、該球抜口を開閉するシャッター板を該球受皿の下部に設けられた組付板上に水平面内で摺動自在なるように設け、該シャッター板の一側縁にラック歯を形成し、該ラック歯に噛合する大径歯車を回転自在に軸支し、該大径歯車に同軸一体的に小径歯車を設け、該小径歯車に噛合する曲率半径の大きい扇形歯車を回転自在に軸支し、球受皿の前面に出没自在に設けた球抜ボタンを押圧操作することにより該扇形歯車，前記小径歯車，大径歯車を回転させ前記シャッター板を球抜口が開く方向に摺動させるとともに、該扇形歯車にバネを係止し該バネにより該シャッター板を球抜口を閉じる方向に付勢させると同時に球抜ボタンを突出方向に付勢してなる球抜き装置であって、球抜ボタンが押圧操作されたとき球抜口が開いた状態となるようにシャッター板を一時係止し、その状態で球抜ボタンを再度押圧操作することによりその一時係止状態を解除させる一時係止機構を小ケース内に組み込み、該小ケースを前記組付板上に着脱自在に配置してなることを特徴とする。
また、本発明は上記球抜き装置において、一時係止機構は、カム板上にトラックを一方に長手の閉環状に形成し、シャッター板を摺動させることにより摺動部材を長手方向に摺動させ、該摺動部材に短手方向にのみ移動自在なるように転子を配置し、該摺動部材が摺動することにより該転子が該トラックを所定方向に周回し、該トラックの一端部に形成された略Ｖ字状の係合所により該転子の転動がされるることでシャッター板を一時係止させるものであることを特徴とする。
【０００８】
【発明の実施の形態】
次に本発明の実施の形態を図面に基づき説明する。図１は本発明が適用されるパチンコ遊技機の正面図、図２はその一部の斜視図で、１は窓孔２に遊技盤３が配設されたガラス扉枠、４は該ガラス扉枠の下に設けられ前面に発射用のパチンコ球を供給する球受皿（上皿）５が形成された前面下部板、６は該前面下部板のさらに下部に設けられ前面に該球受皿５から溢れたパチンコ球が貯留される球受皿（下皿）７が設けられ右端部には打球発射操作ハンドル８が設けられた前面下部板で、該球受皿７は該前面下部板に形成された枠状部９によって包囲されている。そして、該枠状部９の前面に後述する球抜ボタン５５が出没自在に設けられている。なお、ガラス扉枠１および前面下部板の表面は火山の噴火口を想起させる凹凸状の意匠が施されている。１０は球受皿７に隣接するように前面下部板６に設けられた押しボタンスイッチである。
【０００９】
球受皿７は、図３〜図６の断面図および分解斜視図に示したように、底部に長方形の球抜口１１が形成され、該球受皿７の下面に複数本のボス１２，ガイド壁１３，ガイド軸１４，軸受部１５ａ〜１５ｃ，垂下壁１６，ピン１８が突設され、該ボス１２にビス１９をねじ込むことにより組付板２０を該球受皿の下部に少し間隔を置いて水平に支持している。該組付板２０には球抜口１１と合致する長方形の透孔２１が開設されているとともに、該組付板２０の上面に摺動レール２２が複数条平行に形成され、前記ピン１４と相対するガイド軸２３、および前記軸受部１５ａ〜１５ｃと相対する軸受部２４ａ〜２４ｃが形成されている。なお、２７は後述する一時係止機構が組み込まれた小ケース６０を収容するために形成された区画壁である。３０はシャッター板、３１は該シャッター板に開設されたガイド長孔、３２は該シャッター板の一側縁に形成されたラック歯である。該シャッター板は該ガイド長孔３１に前記ガイド軸１４が遊嵌されて組付板２０上に配置され、矢印で示したように、ガイド壁１３に沿って水平面内で摺動することにより球抜口１１を開閉させる。なお、３３はシャッター板の端部上面に突設された係合ピンである。また、３４は球受皿７の側壁に位置するように設けられたスピーカ、３５は該球受皿７へのパチンコ球流入口を示す。
【００１０】
また、前記ラック歯３２に噛合する半円状の大径歯車４０を前記軸受部１５ａ，２４ａ間に支持された軸４１に回転自在に軸支し、該大径歯車に同軸一体的に小径歯車４２を設け、該小径歯車に噛合する曲率半径の大きい扇形歯車４３を同じく前記軸受部１５ｂ，２４ｂ間に支持された軸４４に回転自在に軸支する。４５は該扇形歯車４３に開設され前記ガイド軸２３が遊嵌している円弧状の長孔、４６は一端を該扇形歯車のフック部４７に係止し他端を前記ピン１８に止着した引張状のコイル状のバネで、該バネにより該扇形歯車を介しシャッター板３０を球抜口１１を閉じる方向に付勢させている。また、該扇形歯車の軸４４近くに小さい曲率半径の扇形歯車４８が一体に形成されている、５０は該扇形歯車４８に噛合する扇形歯車５１が形成され前記軸受部１５ｃ，２４ｃ間に支持された軸５２に回転自在に軸支された伝動レバーで、該伝動レバー５０の先端に受止部５３が形成されている。球抜ボタン５５は前記枠状部６に楕円形の透孔５６を開設し、該透孔中に出没自在に設けられ、該球抜ボタンの内端部に形成された押圧片５７を前記受止部５３に対峙させている。なお、球抜ボタン５５の外周には透孔５６の内径より大きいリブ５８が形成されていることから前方への抜脱がない。このため前記バネ４６はシャッター板３０を球抜口１１を閉じる方向に付勢させると同時に球抜ボタン５５を突出方向に付勢することとなる。
【００１１】
そこで、球抜ボタン５５をバネ４６の弾性に抗して押圧操作すると、伝動レバー５０が押され扇形歯車５１，扇形歯車４８，扇形歯車４３，小径歯車４２，大径歯車４０を介してラック歯３２に押圧力が伝達されシャッター板３０を矢印の方向に摺動させ球抜口１１を開かせ、球受皿７中に貯留されたパチンコ球を下方に排出させることができ、該球受皿中にパチンコ球が満杯となった場合や遊技を終了させる時に、該球受皿中のパチンコ球を球箱等に移すことができる。図７はこのような作動状態を示す。
【００１２】
一方、一時係止機構は、図８〜図１４に示したように、カム板６１とガイド枠６２と蓋板６３とをビス６４によって組み合わせることにより小ケース６０が組み立てられる。該カム板６１上には定幅溝からなるトラック６５を一方に長手の閉環状（詳しくは、ハープ形）に形成し、該トラックの一端部に略Ｖ字状の係合所６６を形成し、該トラックの底面は矢印の方向に緩い上り勾配の傾斜状に形成し、該トラックの角部には段部６７，６８を形成している。また、駒状の摺動部材７０をガイド枠６２内に長手方向に沿って摺動自在なるように配置し、該摺動部材は下面に短手方向の溝７１が形成され、該溝中に鈎状に屈折された板バネ７２を設け、該板バネの下に該溝７１内でのみ（短手方向にのみ）移動自在なるように球状の転子７３を配置し、該板バネの弾性により転子７３をトラック６５内底に押圧させている。そして、アーム７４の基軸部７５をガイド枠６２と蓋板６３とにより挟んで枢着し、該アーム７４の先端部７６を二股状に形成するとともに、該アーム７４の中間部下面に突設されたピン７７を前記摺動部材７０の上面に形成された長孔７８に遊嵌してなる。
【００１３】
こうして一時係止機構が組み込まれた小ケース６０は、前記組付板２０の区画壁２７内に配置し、アーム７４の先端部７６を前記シャッター板３０の係合ピン３３に係合させ、前記垂下壁１６をその上面に当接させることにより、組付板２０上に着脱自在に配置される。このため、球抜口１１が閉状態にあるときは、図１１に示したように、転子７３はトラック６５の端部に位置している。そこで、球抜ボタン５５が押圧操作されると、シャッター板３０が矢印の方向に摺動するにつれてアーム７４は矢印ａの方向に旋回し、球抜口１１が開いた状態なってその押圧操作が解除されると該アームの旋回に伴う摺動部材７０の摺動につれて転子７３はトラック６５を矢印ｂの経路を経て段部６７を越し図１４に示したように略Ｖ字状の係合所６６に至り、バネ４６の弾性により戻ろうとする動きが阻止されシャッター板３０を開状態にて一時係止させる。即ち、係合所６６によって転子７３の転動が阻止されることでシャッター板３０は一時係止する。このため、球抜口１１は開状態に保たれ、球受皿７中のパチンコ球を一気に球箱等に移すことができる。
【００１４】
また、その状態で球抜ボタン５５を再度押圧操作すると、係合所６６に停止していて転子７３はトラック６５上を矢印ｃの方向に転動（段部６７を越したことで戻りは阻止される）し、その押圧操作を解除すると該転子７３はバネ４６の弾性により元の図１１に示した位置に戻り、一時係止状態が解除されて球抜口１１は閉じられる。このように転子７３はトラック６５上を矢印の方向にのみ周回することで、シャッター板３０が開状態にて一時係止され、再度の押圧操作でその開状態が解除される。
【００１５】
このようにシャッター板３０の動きを制御し得る小ケース６０は、組付板２０上に着脱自在に配置されるので、小ケース６０を配置しアーム７４をシャッター板３０に係合させるだけで、このような一時係止を必要とする場合は簡単に仕様を変更することができる。
【００１６】
なお、この実施形態では球抜ボタンを押圧操作するものについて説明したが、本発明はこの方式に限らず、例えば左右にスライドする操作レバーを持つ形態のものにも適用することができる。
また、この実施形態では、発射用のパチンコ球を供給する球受皿（上皿）５と球受皿（下皿）７を有するパチンコ遊技機について説明したが、本発明は発射用と貯留用とを兼ねる１つの球受皿のみを有したパチンコ遊技機にも適用できる。また、球抜口は球受皿の底面に限らず側壁に形成することも可能である。
【００１７】
【発明の効果】
以上説明したように本発明は、パチンコ遊技機の前面に設けられた球受皿に球抜口を形成し、該球抜口を開閉するシャッター板を設け、球抜ボタンを操作することにより前記シャッター板を球抜口が開く方向に摺動させるとともに、バネにより該シャッター板を球抜口を閉じる方向に付勢させてなる球抜き装置であって、球抜ボタンが操作されたとき球抜口が開いた状態となるようにシャッター板を一時係止し、その状態で球抜ボタンを再度操作することによりその一時係止状態を解除させる一時係止機構を小ケース内に組み込み、該小ケースを着脱自在に配置してなるので、一時係止機構が組み込まれた小ケースをオプション部品として用意しておくことにより何時でも簡単に組み付けることができ、非操作時に球抜口が常に閉じるようにシャッター板を付勢した仕様と、球抜口を開いたままにできる仕様とを客先の要望に応じて簡単に変更できるようにする有益な効果がある。
【図面の簡単な説明】
【図１】本発明の実施形態を示したパチンコ遊技機の正面図。
【図２】図１のパチンコ遊技機の球受皿部の斜視図。
【図３】図１のパチンコ遊技機における球受皿の球抜き装置を示す水平断面平面図。
【図４】図３のＡ−Ａ線断面図。
【図５】図３のＢ−Ｂ線断面図。
【図６】図１のパチンコ遊技機における球受皿の球抜き装置の分解斜視図。
【図７】図３の作動状態図。
【図８】本発明の実施形態を示す一時係止機構を組み込んだ小ケースの外観斜視図。
【図９】図８のＣ−Ｃ線断面図。
【図１０】図８のＤ−Ｄ線断面図。
【図１１】本発明の実施形態を示す一時係止機構の透視平面図。
【図１２】本発明の実施形態を示す一時係止機構の分解斜視図。
【図１３】
本発明の実施形態を示す一時係止機構のカム板の斜視図。
【図１４】
図１１の作動状態図。
【符号の説明】
６　　　　　　　　　前面下部板
７　　　　　　　　　球受皿
１１　　　　　　　　球抜口
１６　　　　　　　　垂下壁
２０　　　　　　　　組付板
２１　　　　　　　　透孔
２７　　　　　　　　区画壁
３０　　　　　　　　シャッター板
３２　　　　　　　　ラック歯
３３　　　　　　　　係合ピン
４０　　　　　　　　大径歯車
４２　　　　　　　　小径歯車
４３，４８，５１　　扇形歯車
４６　　　　　　　　バネ
５０　　　　　　　　伝動レバー
５５　　　　　　　　球抜ボタン
６０　　　　　　　　小ケース
６１　　　　　　　　カム板
６２　　　　　　　　ガイド枠
６５　　　　　　　　トラック
６６　　　　　　　　係合所
６７　　　　　　　　段部
７０　　　　　　　　摺動部材
７１　　　　　　　　溝
７２　　　　　　　　板バネ
７３　　　　　　　　転子
７４　　　　　　　　アーム
７８　　　　　　　　長孔
【図１】
2004089480.tif 000003
【図２】
2004089480.tif 000004
【図３】
2004089480.tif 000005
【図４】
2004089480.tif 000006
【図５】
2004089480.tif 000007
【図６】
2004089480.tif 000008
【図７】
2004089480.tif 000009
【図８】
2004089480.tif 000010
【図９】
2004089480.tif 000011
【図１０】
2004089480.tif 000012
【図１１】
2004089480.tif 000013
【図１２】
2004089480.tif 000014
【図１３】
2004089480.tif 000015
【図１４】
2004089480.tif 000016